【手続補正書】
【提出日】令和3年2月24日(2021.2.24)
【手続補正１】
【補正対象書類名】特許請求の範囲
【補正対象項目名】全文
【補正方法】変更
【補正の内容】
【特許請求の範囲】
【請求項１】
表示面（１３）に画像が表示される表示ユニット（１０）と、
前記表示ユニットの表示面側に積層されたカバーパネル（２０）と、
前記表示ユニットの裏面に積層され、中央部が前記表示ユニットと対向し、前記表示ユニットを保持する保持フレーム（４０）と、を備え、
前記表示ユニットの前記表示面と前記カバーパネルとが光学接着材料（１４）で接着されており、
前記保持フレームと前記表示ユニットとが、少なくとも接着時において厚さが可変である厚さ可変接着材料（８０）で接着されている表示装置であって、
前記保持フレームに固定され、かつ、前記表示ユニットの側面を覆う意匠フレーム（５０）を備え、
前記意匠フレームの前記カバーパネル側の端面（５３）と前記カバーパネルとが、前記厚さ可変接着材料で接着されている表示装置。
【請求項２】
前記厚さ可変接着材料は接着剤である、請求項１に記載の表示装置。
【請求項３】
前記厚さ可変接着材料は弾性粘着テープである、請求項１に記載の表示装置。
【請求項４】
前記保持フレームの前記表示ユニット側の面に、前記接着剤が接着している接着面（４４）から前記表示ユニット側に突き出す凸部（４３）が複数形成されており、
前記接着剤は、前記凸部を避けて前記保持フレームと前記表示ユニットとを接着しており、前記凸部は前記表示ユニットに接している、請求項２に記載の表示装置。
【請求項５】
表示面（１３）に画像が表示される表示ユニット（１０）と、
前記表示ユニットの表示面側に積層されたカバーパネル（２０）と、
前記表示ユニットの裏面に積層され、中央部が前記表示ユニットと対向し、前記表示ユニットを保持する保持フレーム（４０）と、を備え、
前記表示ユニットの前記表示面と前記カバーパネルとが光学接着材料（１４）で接着されており、
前記保持フレームと前記表示ユニットとが、少なくとも接着時において厚さが可変である厚さ可変接着材料（８０）で接着されている表示装置であって、
前記厚さ可変接着材料は弾性粘着テープである、表示装置。
【請求項６】
表示面（１３）に画像が表示される表示ユニット（１０）と、
前記表示ユニットの表示面側に積層されたカバーパネル（２０）と、
前記表示ユニットの裏面に積層され、中央部が前記表示ユニットと対向し、前記表示ユニットを保持する保持フレーム（４０）と、を備え、
前記表示ユニットの前記表示面と前記カバーパネルとが光学接着材料（１４）で接着されており、
前記保持フレームと前記表示ユニットとが、少なくとも接着時において厚さが可変である厚さ可変接着材料（８０）で接着されている表示装置であって、
前記厚さ可変接着材料は接着剤であり、
前記保持フレームの前記表示ユニット側の面に、前記接着剤が接着している接着面（４４）から前記表示ユニット側に突き出す凸部（４３）が複数形成されており、
前記接着剤は、前記凸部の頂面および側面を避けて前記保持フレームと前記表示ユニットとを接着しており、前記凸部は前記表示ユニットに接している、表示装置。
【請求項７】
前記保持フレームに固定され、かつ、前記表示ユニットの側面を覆う意匠フレーム（５０）を備え、
前記意匠フレームの前記カバーパネル側の端面（５３）と前記カバーパネルとが、前記厚さ可変接着材料で接着されている、請求項５または６に記載の表示装置。
【請求項８】
前記表示ユニットは液晶パネル（１１）を備える、請求項１〜７のいずれか１項に記載の表示装置。
【請求項９】
表示面（１３）に画像が表示される表示ユニット（１０）の前記表示面と、前記表示ユニットの表示面側に積層するカバーパネル（２０）とを光学接着材料（１４）で接着して、パネル結合表示ユニット（３０）とするパネル接着工程（Ｓ１）と、
中央部が前記表示ユニットと対向し、前記表示ユニットを保持する保持フレーム（４０）と、前記表示ユニットの側面を覆うための意匠フレーム（５０）とを結合して筐体ユニット（７０）とする筐体形成工程（Ｓ２）と、
前記筐体ユニットの前記保持フレームと前記パネル結合表示ユニットの前記表示ユニットとを、少なくとも接着時において厚さが可変である厚さ可変接着材料で接着するユニット一体化工程（Ｓ３）とを備える、表示装置の製造方法。
【請求項１０】
前記厚さ可変接着材料は接着剤であり、
前記保持フレームの前記表示ユニット側の面に、前記接着剤が接着している接着面から前記表示ユニット側に突き出す凸部が複数形成されており、
前記ユニット一体化工程では、前記保持フレームの複数の前記凸部の間に、前記接着剤を塗布した後、前記筐体ユニットを下にして、前記筐体ユニットと前記パネル結合表示ユニットとを接着する、請求項９に記載の表示装置の製造方法。
【請求項１１】
前記ユニット一体化工程では、前記意匠フレームの前記カバーパネル側の端面と前記カバーパネルとの間も、前記厚さ可変接着材料で接着される、請求項９または１０に記載の表示装置の製造方法。
【請求項１２】
前記ユニット一体化工程では、前記保持フレームと前記意匠フレームに前記厚さ可変接着材料を接着した後、前記筐体ユニットと前記パネル結合表示ユニットとを接着する、請求項９〜１１のいずれか１項に記載の表示装置の製造方法。
【請求項１３】
前記表示ユニットは液晶パネルを備える、請求項９〜１２のいずれか１項に記載の表示装置の製造方法。
【手続補正２】
【補正対象書類名】明細書
【補正対象項目名】０００８
【補正方法】変更
【補正の内容】
【０００８】
上記目的を達成するための表示装置に係る１つの開示は、
表示面（１３）に画像が表示される表示ユニット（１０）と、
表示ユニットの表示面側に積層されたカバーパネル（２０）と、
表示ユニットの裏面に積層され、中央部が表示ユニットと対向し、表示ユニットを保持する保持フレーム（４０）と、を備え、
表示ユニットの表示面とカバーパネルとが光学接着材料（１４）で接着されており、
保持フレームと表示ユニットとが、少なくとも接着時において厚さが可変である厚さ可変接着材料（８０）で接着されている表示装置であって、
保持フレームに固定され、かつ、表示ユニットの側面を覆う意匠フレーム（５０）を備え、
意匠フレームのカバーパネル側の端面（５３）とカバーパネルとが、厚さ可変接着材料で接着されている表示装置である。
上記目的を達成するための表示装置に係る他の開示は、
表示面（１３）に画像が表示される表示ユニット（１０）と、
表示ユニットの表示面側に積層されたカバーパネル（２０）と、
表示ユニットの裏面に積層され、中央部が表示ユニットと対向し、表示ユニットを保持する保持フレーム（４０）と、を備え、
表示ユニットの表示面とカバーパネルとが光学接着材料（１４）で接着されており、
保持フレームと表示ユニットとが、少なくとも接着時において厚さが可変である厚さ可変接着材料（８０）で接着されている表示装置であって、
厚さ可変接着材料は弾性粘着テープである、表示装置である。
上記目的を達成するための表示装置に係る他の開示は、
表示面（１３）に画像が表示される表示ユニット（１０）と、
表示ユニットの表示面側に積層されたカバーパネル（２０）と、
表示ユニットの裏面に積層され、中央部が表示ユニットと対向し、表示ユニットを保持する保持フレーム（４０）と、を備え、
表示ユニットの表示面とカバーパネルとが光学接着材料（１４）で接着されており、
保持フレームと表示ユニットとが、少なくとも接着時において厚さが可変である厚さ可変接着材料（８０）で接着されている表示装置であって、
厚さ可変接着材料は接着剤であり、
保持フレームの表示ユニット側の面に、接着剤が接着している接着面（４４）から表示ユニット側に突き出す凸部（４３）が複数形成されており、
接着剤は、凸部の頂面および側面を避けて保持フレームと表示ユニットとを接着しており、凸部は表示ユニットに接している、表示装置である。
【手続補正３】
【補正対象書類名】明細書
【補正対象項目名】００１１
【補正方法】変更
【補正の内容】
【００１１】
上記目的を達成するための表示装置の製造方法に係る１つの開示は、
表示面（１３）に画像が表示される表示ユニット（１０）の表示面と、表示ユニットの表示面側に積層するカバーパネル（２０）とを光学接着材料（１４）で接着して、パネル結合表示ユニット（３０）とするパネル接着工程（Ｓ１）と、
中央部が表示ユニットと対向し、表示ユニットを保持する保持フレーム（４０）と、表示ユニットの側面を覆うための意匠フレーム（５０）とを結合して筐体ユニット（７０）とする筐体形成工程（Ｓ２）と、
筐体ユニットの保持フレームとパネル結合表示ユニットの表示ユニットとを、少なくとも接着時において厚さが可変である厚さ可変接着材料で接着するユニット一体化工程（Ｓ３）とを備える、表示装置の製造方法である。